(57)【要約】  開示した洗浄器具は、ハンドル、洗浄ヘッド、バルブ、及びロック機構を備えている。ハンドルは、流体チャンバ及び吐出孔を備え、ハンドルは、作動端部及び保持端部を有する。洗浄ヘッドは、ハンドルの作動端部に固定され、吐出孔に隣接している。バルブは、流体チャンバを吐出孔から分離し、第１の開位置と第２の閉位置との間で作動可能である。第１の開位置では、流体チャンバは吐出孔と流体連通している。ロック機構は、バルブを開位置又は閉位置にロックする。【選択図】図１
2017516614.tif 000002
【特許請求の範囲】
【請求項１】
流体チャンバ及び吐出孔を備えるハンドルであって、作動端部及び保持端部を有する、ハンドルと、
前記ハンドルの前記作動端部に固定され、前記吐出孔に隣接している洗浄ヘッドと、
前記流体チャンバを吐出孔から分離し、第１の開位置と第２の閉位置との間で作動可能なバルブであって、前記第１の開位置で前記流体チャンバは、前記吐出孔と流体連通している、バルブと、
前記バルブ及びハンドルにあって、前記バルブを前記開位置又は前記閉位置にロックするロック機構とを備えている洗浄器具。
【請求項２】
前記ハンドルは、前記保持端部から前記作動端部まで直線状に延びている、請求項１に記載の洗浄器具。
【請求項３】
前記ハンドルは、流体を前記流体チャンバ内部から移動させるためのアクチュエータを更に備えている、請求項１又は２に記載の洗浄器具。
【請求項４】
前記吐出孔は、前記ハンドルに位置し、前記洗浄ヘッドから取り外される、請求項１〜３のいずれか一項に記載の洗浄器具。
【請求項５】
前記吐出孔は、前記洗浄ヘッドの内部に位置している、請求項１〜４のいずれか一項に記載の洗浄器具。
【請求項６】
複数の吐出孔を更に備えている、請求項１〜５のいずれか一項に記載の洗浄器具。
【請求項７】
前記洗浄ヘッドは、合成又はセルロースの発泡体、織布、編織物、又は不織布、磨くための織物、毛、又はこれらの素材を１つ以上組み合わせたものなどの織物を含んでいる、請求項１〜６のいずれか一項に記載の洗浄器具。
【請求項８】
前記バルブは、第１の部分及び前記第１の部分に対して可動式の第２の部分を備えている、請求項１〜７のいずれか一項に記載の洗浄器具。
【請求項９】
前記第２の部分は、前記第１の部分に対して旋回する、請求項１〜８のいずれか一項に記載の洗浄器具。
【請求項１０】
前記第２の部分は、前記第１の部分に対して線形に動く、請求項１〜９のいずれか一項に記載の洗浄器具。
【請求項１１】
前記第２の部分は、前記第１の部分に対して横方向に動く、請求項１〜１０のいずれか一項に記載の洗浄器具。
【請求項１２】
前記第１の部分は第１の通路を備え、前記第２の部分は前記吐出孔を備えている、請求項１〜１１のいずれか一項に記載の洗浄器具。
【請求項１３】
前記第１の部分及び前記第２の部分の前記第１の開位置で、前記第１の通路と吐出孔とは同列になる、請求項１〜１２のいずれか一項に記載の洗浄器具。
【請求項１４】
前記第１の部分及び第２の部分の前記第２の閉位置で、ブロックは前記第１の通路をふさぐ、請求項１〜１３のいずれか一項に記載の洗浄器具。
【請求項１５】
前記ロック機構は、突起と、前記突起を受け入れるための凹部と、前記突起を前記凹部に収容するための前記凹部に隣接しているストッパとを備えている、請求項１〜１４のいずれか一項に記載の洗浄器具。
【請求項１６】
前記突起は前記第１の部分又は前記第２の部分の一方にあり、前記凹部は前記第１の部分又は前記第２の部分のもう一方にある、請求項１〜１５のいずれか一項に記載の洗浄器具。
【発明の詳細な説明】
【技術分野】
【０００１】
本開示は、流体注出洗浄器具に関する。特に、本開示は、洗浄するために流体の注出を制御する開バルブ及び閉バルブを有する流体注出洗浄器具に関する。
【背景技術】
【０００２】
食器、浴室、壁、シャワーを洗浄するために洗浄器具が一般に使用されている。これらの器具は、発泡体、スポンジ、布、ごしごし洗うための織布（scrubbing webs）などの様々な素材で作製されることができ、柄の付いた固体の器具に装着されていることがある。洗浄過程を補助するために、洗浄器具と共に洗浄用化学薬品が用いられることが多い。洗浄器具によっては、固体又は液体の洗浄用化学薬品を保持するための空洞を備えているものがある。これらの器具の多くは、多様な表面を洗浄するのに限定された形状をしているか、あるいは洗浄用化学薬品の供給を容易に制御させない形状をしている。
【発明の概要】
【課題を解決するための手段】
【０００３】
洗浄用化学薬品を保持するハンドルにチャンバを有している開示した洗浄器具は、作動可能でロック可能なバルブを備えている。１つの位置では、バルブは流体をチャンバから流出させ、第２の位置ではバルブは流体の流れを停止させる。
【０００４】
１つの実施形態では、洗浄器具は、流体チャンバ及び吐出孔を備えているハンドルを備えているハンドルであって、作動端部及び保持端部を有するハンドルと、ハンドルの作動端部に固定されて吐出孔に隣接している洗浄ヘッドと、流体チャンバを吐出孔から分離し、第１の開位置と第２の閉位置との間で作動可能なバルブであって、第１の開位置では流体チャンバが吐出孔と流体連通しているバルブと、バルブ及びハンドルにあって、バルブを開位置又は閉位置にロックするロック機構とを備えている。
【０００５】
１つの実施形態では、ハンドルは、保持端部から作動端部まで直線状に延びている。１つの実施形態では、ハンドルは、流体を流体チャンバ内部から移動させるためのアクチュエータを更に備えている。１つの実施形態では、吐出孔は、ハンドルに位置し、洗浄ヘッドから離れている。１つの実施形態では、吐出孔は、洗浄ヘッドの内部に位置している。１つの実施形態では、洗浄器具は、複数の吐出孔を更に備えている。１つの実施形態では、洗浄ヘッドは、合成又はセルロースの発泡体、織布、編織物、又は不織布、磨くための織物、毛、又はこれらの素材を１つ以上組み合わせたものなどの織物を含んでいる。
【０００６】
１つの実施形態では、バルブは、第１の部分及び第１の部分に対して可動式の第２の部分を備えている。１つの実施形態では、第２の部分は、第１の部分に対して旋回する。１つの実施形態では、第２の部分は、第１の部分に対して線形に動く。１つの実施形態では、第２の部分は、第１の部分に対して横方向に動く。１つの実施形態では、第１の部分は第１の通路を備え、第２の部分は吐出孔を備えている。１つの実施形態では、第１の部分及び第２の部分の第１の開位置で、第１の通路と吐出孔とは同列になる。１つの実施形態では、第１の部分及び第２の部分の第２の閉位置で、ブロックが第１の通路をふさぐ。
【０００７】
１つの実施形態では、ロック機構は、突起、突起を受け入れるための凹部、及び突起を凹部に収容するための凹部に隣接していてストッパを備えている。１つの実施形態では、突起は第１の部分又は第２の部分の一方にあり、凹部は、第１の部分又は第２の部分のもう一方にある。
【図面の簡単な説明】
【０００８】
【図１】洗浄器具の１つの実施形態の斜視図である。
【図２】図１の洗浄器具のバルブ及びロック機構の分解図である。
【０００９】
上記の図面は、本発明の実施形態を表しているが、説明において述べるように、他の実施形態も企図される。いかなる場合も、本開示は、本発明を、限定するのではなく代表して提示するものである。発明の範囲及び趣旨の中で、多くの他の修正及び実施形態が、当業者によって考案され得ることを理解されたい。なお、図面は、縮尺どおりに描かれていない場合がある。
【発明を実施するための形態】
【００１０】
図１は、洗浄器具１００の１つの実施形態の斜視図である。洗浄器具１００は、流体チャンバ２１０を有するハンドル２００と、流体チャンバ２１０の内部に入っている流体を注出するための吐出孔３００と、洗浄ヘッド４００とを備えている。図２は、バルブ２２０、及び流体チャンバ２１０を吐出孔３００から分離して流体チャンバ２１０の内部に入っている流体を吐出孔３００から放出するのを制御できるようにするロック機構の分解図である。
【００１１】
ハンドル２００は、洗浄用化学薬品などの流体を保持するための流体チャンバ２１０を備えている。流体チャンバ２１０は、ハンドル２００のすべて又は一部からなり得る。この実施形態では、流体チャンバ２１０は、本質的にハンドル２００全体からなる。ハンドルは、キャップ２１２を備えている。キャップ２１２は、流体チャンバ２１０の中にアクセスできるように取り外され得る。その後、キャップ２１２は、ハンドルに装着されて流体チャンバ２１０を覆い、流体を内部に内包できる。キャップ２１２をハンドル２００に取り外し可能なように固定するのに、装着機構をいくつ使用してもよい。
【００１２】
ハンドル２００は、洗浄ヘッド４００に隣接している作動端部２０２、及び保持端部２０４を備え、保持端部２０４は作動端部２０２と対極にある。使用者は、使用中に洗浄器具１００を保持端部２０４で保持する。この実施形態では、流体チャンバ２１０及びキャップ２１２は、ハンドル２００の保持端部２０４に隣接している。
【００１３】
図１に示したものなどのいくつかの実施形態では、洗浄器具１００は、流体チャンバ２１０の内部にある流体を流体チャンバ２１０から吐出孔３００へ注出するのを促進するアクチュエータ２１４を備えている。この実施形態では、アクチュエータ２１４は、流体チャンバと連通し、弾力があり、押し下げ可能である。したがって、アクチュエータ２１４を押し下げると、流体チャンバ２１０の容積部が動かされ、流体チャンバ２１０の内部の流体が流体チャンバ２１０から吐出孔３００へ押し出される。
【００１４】
ハンドル２００は、細長く、一般的に幅よりも長い。図示した実施形態では、ハンドル２００は、保持端部２０４から作動端部２０２へ概ね直線状に延びている。この実施形態では、直線構成により、洗浄器具２００を、カップ、ボトル、シンク、又はトイレのように囲まれている領域の内側を洗浄するのにうまく適合したものになる。異なる用途では、洗浄器具２００は異なる形状又は構成であってもよいことが理解される。例えば、ハンドル２００は、全体的に細長いが、ハンドル付の食器用ブラシと同様に作動端部２０２近くが湾曲していてもよい。
【００１５】
流体チャンバ２１０の内部に入っているのは流体である。一般に、流体は、圧力又は熱を必要とすることなく重力のみで流体が流体チャンバ２１０から吐出孔３００へ吐出されるように、室温での粘性が低いものである。洗浄器具が食器又はその他の表面を洗うのに使用される用途では、流体は洗浄用化学薬品であり得る。例えば、１つの実施形態では、流体は、界面活性剤、又は液体の食器用洗剤である。
【００１６】
吐出孔３００は、洗浄ヘッド４００に隣接して位置している。バルブ２２０が開いているとき、吐出孔３００は、流体チャンバ２１０の内部に入っている流体を洗浄器具１００から出す。吐出孔３００は洗浄ヘッド４００に隣接しているため、吐出される流体は、洗浄ヘッド４００の中で混合して洗浄用に使用するために容易に利用可能である。図１に示した実施形態では、吐出孔３００は、ハンドル２００の作動端部２０２に位置し、洗浄ヘッド４００からわずかに離れている。吐出孔３００をハンドル２００に沿って配置する方が、吐出孔３００を洗浄ヘッド４００が含まれる領域に組み入れるよりも製造しやすい。但し、吐出孔３００は洗浄ヘッド４００の内部にあってもよいことが理解される。また、単一の吐出孔３００を示しているが、２つ以上の吐出孔３００を備えていてもよいことが理解される。
【００１７】
洗浄ヘッド４００は、ハンドル２００の作動端部２０２に位置している。洗浄ヘッド４００は、洗浄すべき表面と接触させるのに使用される。洗浄ヘッド４００は、洗浄に適した素材で作製される。１つの実施形態では、洗浄ヘッド４００は、拭く、洗う、こする、かつ／又は磨くのに適した素材で作製される。１つの実施形態では、洗浄素材は、２つ以上の素材を含んでいる。１つの実施形態では、洗浄素材は、合成又はセルロースの発泡体、織布、編織物、又は不織布、磨くための織物、毛、又はこれらの素材を１つ以上組み合わせたものなどの織物を含んでいる。
【００１８】
流体を放出したり流体チャンバ２１０の内部に入れたりするのを制御できるように、バルブ２２０が備えられている。バルブ２２０は、流体チャンバ２１０と吐出孔３００との間に配置されている。更に、バルブ２２０は、バルブ２２０を開いたまま、かつ／又は閉じたままにできるロック機構を備えている。バルブ２２０は、第１の通路２３２を有する第１の部分２２２と、吐出孔３００を有する第２の部分２２４とを備えている。第１の部分２２２及び第２の部分２２４は、互いに対して可動式である。
【００１９】
第１の部分２２２が第２の部分２２４に対して第１の開位置にあると、第１の通路２３２は吐出孔３００と同列になる。第１の開位置では、吐出孔３００は流体チャンバ２１０と流体連通し、それによって流体をバルブ２２０に流す。
【００２０】
第１の部分２２２が第２の部分２２４に対して第２の閉位置にあると、第１の通路２３２及び吐出孔３００は流体をバルブ２２０に流れないようにする。逆に、ブロック２４０は、流体チャンバ２１０から吐出孔３００への流体連通を防止し、それによって流体がバルブ２２０に流れるのを止める。
【００２１】
１つの実施形態では、使用者が吐出孔３００から注出される流体を多く又は少なく選択できるように、様々なサイズの第１の通路２３２が２つ以上あってもよい。この実施形態では、使用者は、第２の部分２２４を第１の部分２２２に対して回転させて、流体を異なる速度で流すために吐出孔３００を適切な通路と同列にする。
【００２２】
図２により詳細に示した１つの実施形態では、第１の部分２２２は、第２の部分２２４に対して回転し、第１の通路２３２と吐出孔３００とを第１の開位置で同列にする。第１の部分２２２を第２の部分２２４に対して更に回転させると、第１の通路２３２及び吐出孔３００が同列から外れ、それによってブロック２４０、この場合は内壁は、第１の通路２３２から流体が吐出されるのを防止する。
【００２３】
１つの実施形態では、第２の部分は、第１の部分に対して線形に動く。この種の構成は、液状食器用洗剤のボトルにある停止バルブと同様である。この実施形態では、第１の開位置で、第２の部分のブロックは、流体が第１の通路から流出して吐出孔を通るように線形に作動して第１の部分の第１の通路から離れる。第２の閉位置では、第２の部分のブロックは、流体が吐出孔から流出するのをブロックが防止するように線形に作動して第１の部分の第１の通路に近づく。
【００２４】
１つの実施形態では、第２の部分は、第１の部分に対して横方向に動く。この実施形態では、第１の開位置で、第２の部分は、流体が第１の部分の第１の通路から流出して吐出孔を通るように第１の部分から側面に向かって横方向に作動する。第２の閉位置では、第２の部分は、流体が吐出孔から流出するのをブロックが防止するように横方向に作動して第１の部分に近づく。
【００２５】
吐出孔３００及び第１の通路２３２は円形に示されているが、吐出孔３００及び第１の通路２３２は、流体の流れを制御するために多くの異なる形状及び構造を備え得ることが理解される。例えば、吐出孔３００と第１の通路２３２の一方又は両方が、水平位置又は垂直位置にある幅及び長さが様々なスロットであってもよいし、あるいは、同列の同じ形状又は同列の異なる形状であってもよい。
【００２６】
バルブ２２０は、バルブ２２０を第１の開位置にロックし、かつ／又はバルブ２２０を第２の閉位置にロックするロック機構を備えている。したがって、ロック機構を備えていることで、洗浄器具１００の使用中にバルブ２２０を第１の開位置に留めておいて流体を吐出させ、バルブ２２０を第２の閉位置に留めておいて流体の吐出を防止する。したがって、使用中又は保管中、使用者には流体を注出するか流体を注出しないかの選択肢があり、ロック機構は、バルブ２２０が不注意で第１の開位置と第２の閉位置との間で動くのを防止する。
【００２７】
ロック機構は、第１の部分２２２と第２の部分２２４との間の機械的なインターロック機構である。バルブ２２０を第１の開位置にロックし、かつ／又はバルブ２２０を第２の閉位置にロックするために、多くの代替の機械的なインターロック機構を使用してよいことが理解される。
【００２８】
図２に示したように、ロック機構は、突起２５２、流れ凹部２５１、停止凹部２５４、各凹部２５２、２５４に隣接しているストッパ２５３、及び流れ凹部５２１と停止凹部２５４との間にあるスライド面２５６を備えている。この実施形態では、突起２５２は第１の部分２２２にある。流れ凹部２５１、停止凹部２５４、スライド面２５６、及びストッパ２５３は、第２の部分２２４にある。突起２５２が流れ凹部２５１と同列にあるとき、第１の通路２３２は吐出孔３００と同列にある。突起２５２が停止凹部２５４と同列にあるとき、第１の通路２３２は吐出孔３００と同列にはなく、流体は吐出孔３００から流出できない。流れ凹部２５１と停止凹部２５４との間は、突起２５２をスライドさせて第１の部分２２２と第２の部分２２４との間で旋回させるスライド面２５６である。
【００２９】
流れ凹部２５１及び停止凹部２５４と隣接しているストッパ２５３は、流れ凹部２５１又は停止凹部２５４のいずれかのしかるべき場所で突起２５２をロックする。但し、ストッパ２５３は、突起２５２が第１の部分２２２と第２の部分２２４との間の十分な旋回力でストッパ２５３を超えて通れるように設計されている。この実施形態では、ストッパ２５３は、傾斜した側壁を含み、突起２５２も傾斜した側壁を含んでいる。
【００３０】
突起２５２が流れ凹部２５１の外に位置しているときは、第１の通路２３２は吐出孔３００と同列にない。逆に、第１の通路２３２は、第２の部分２２４の内壁でブロックされる。ストッパ２５３も同じく、凹部の外側のしかるべき場所で突起２５２をロックし、第１の部分２２２と第２の部分２２４との間で十分な旋回力を伴って、突起２５２は、流れ凹部２５１の中に再び挿入され得る。
【００３１】
本明細書に記載した洗浄器具１００及びその様々な構成要素は、様々な素材で作製され得る。例えば、適切な素材として、洗浄器具１００の様々な部分又は断面に対して、熱可塑性樹脂、エラストマー、金属が挙げられる。具体的には、様々なエラストマー、及びＯリングさえも、よりよく密閉するためにバルブの中及び周囲に使用されてよい。
【００３２】
洗浄器具１００を使用するために、使用者は、キャップ２１２を取り外し、流体キャビティ２１０に流体を充填する。使用者が洗浄のために流体を利用したい場合、使用者は、バルブ２２０を第１の開位置まで作動させて流体を吐出孔３００から外部に通す。図１〜２に示した実施形態では、第２の部分２２４は、第１の部分２２２に対して旋回されて突起２５２を流れ凹部２５１の中にロックする。その後、流体は、洗浄ヘッド４００まで流れ、洗浄に利用できる。使用者が流体を吐出したくないときは、使用者は、バルブ２２０を第２の閉位置まで作動させて流体の流れを停止する。図１〜２に示した実施形態では、第２の部分２２４は、第１の部分２２２に対して旋回して突起２５２を流れ凹部２５１から外し、突起２５２をスライド面２５６に沿ってスライドさせ、突起２５２を停止凹部２５４の中にロックする。使用者は、流体を吐出せずに洗浄し続けることを望んだり、今後使用するために洗浄器具１００を貯蔵することを望んだりすることがある。
【００３３】
本発明の具体的な実施形態を本明細書中に示し及び説明してきたが、これら実施形態は多くの考えられる具体的な構成を単に例示しているにすぎず、構成は本発明の原理を適用して考案され得ることは理解されよう。これらの原理にしたがって、当業者は、本発明の趣旨及び範囲から逸脱することなく、多数の様々な他の構成を考案することができる。したがって本発明の範囲は、本願に記載の構造に限定されるべきものではなく、特許請求の範囲の文言により述べられる構造及びそうした構造の均等物によってのみ限定されるものである。
【図１】
2017516614.tif 000003
【図２】
2017516614.tif 000004
【国際調査報告】
2017516614.tif 000005
2017516614.tif 000006